(57)【要約】【課題】工場などでの個別の従業員への情報提供を集約して行い、情報提供の効率化を図るようにした情報提供装置を得る。【解決手段】従業員に従業員ＩＤを含む従業員情報が記録されたＲＦＩＤタグ８を持たせ、ＲＦＩＤタグ入力装置５によりＲＦＩＤタグ８の従業員情報を読取り、これを処理して、従業員ＩＤに対応した情報ウィンドウ及び音声情報を作成し、それぞれ表示装置６及びスピーカ装置７に出力して、従業員個別に情報を伝達するもので、ＲＦＩＤタグ入力装置５と表示装置６とスピーカ装置７とを情報ターミナルに設置し、この情報ターミナルにＲＦＩＤタグ８を持った従業員が行くだけで、自分宛のメッセージを受け取ることができるようにした。【選択図】図１
2008276296.tif 000002
【特許請求の範囲】
【請求項１】
従業員ＩＤを含む従業員情報が記録されたＲＦＩＤタグ、このＲＦＩＤタグに記録された上記従業員情報を読取るＲＦＩＤタグ入力装置、このＲＦＩＤタグ入力装置により読取られた上記従業員情報を処理し、上記従業員ＩＤに対応した情報ウィンドウ及び音声情報を作成するデータ処理装置、このデータ処理装置によって作成された上記情報ウィンドウを表示する表示装置、及び上記データ処理装置によって作成された上記音声情報を出力する音声出力装置を備え、
上記ＲＦＩＤタグ入力装置及び上記表示装置及び上記音声出力装置をまとめて設置したことを特徴とする情報提供装置。
【請求項２】
上記表示装置は、大型表示装置であり、上記ＲＦＩＤタグ入力装置は、複数設置され、上記データ処理装置は、上記ＲＦＩＤタグ入力装置によって読取られた上記ＲＦＩＤタグの上記従業員情報から上記ＲＦＩＤタグの位置を判定するタグ位置判定部を有し、上記大型表示装置での上記情報ウィンドウの表示位置を上記ＲＦＩＤタグの位置に合わせることを特徴とする請求項１記載の情報提供装置。
【請求項３】
上記音声出力装置は、複数の指向性スピーカ装置によって構成され、上記ＲＦＩＤタグの位置に合わせて上記複数の指向性スピーカ装置の一つを選択して、この選択された指向性スピーカ装置から上記音声情報を出力することを特徴とする請求項２記載の情報提供装置。
【請求項４】
上記ＲＦＩＤタグは、移動体に取り付けられ、上記データ処理装置は、上記タグ位置判定部により判定された上記ＲＦＩＤタグの位置に基づき、上記ＲＦＩＤタグの移動速度を判定するタグ移動速度判定部と、このタグ移動速度判定部により判定された上記ＲＦＩＤタグの移動速度により、上記ＲＦＩＤタグの移動位置を予測するタグ移動位置予測部を有し、上記ＲＦＩＤタグの移動に合わせて上記表示される情報ウィンドウを移動するようにしたことを特徴とする請求項２記載の情報提供装置。
【請求項５】
上記表示装置には、メッセージメールが表示されるとともに、上記メッセージメールを確認するための情報が記録されたメッセージ確認用ＲＦＩＤタグを備え、
上記データ処理装置は、上記メッセージ確認用ＲＦＩＤタグの情報を読取ることにより、上記表示されたメッセージメールを確認処理することを特徴とする請求項１〜請求項４のいずれかに記載の情報提供装置。
【請求項６】
メッセージメールを発信するための情報が記録されたメッセージ発信用ＲＦＩＤタグを備え、上記データ処理装置は、上記メッセージ発信用ＲＦＩＤタグの情報を読取ることにより、上記表示装置に上記メッセージメールを表示することを特徴とする請求項１〜請求項５のいずれかに記載の情報提供装置。
【請求項７】
上記表示装置に表示されたメッセージメールに紐付けされた紐付け情報を表示するように、上記紐付け情報を開くための情報を有する紐付け情報用の複数枚のＲＦＩＤタグを備え、
上記データ処理装置は、上記紐付け情報用の複数枚のＲＦＩＤタグの情報を読取ることにより、上記紐付け情報を上記表示装置に表示することを特徴とする請求項５または請求項６記載の情報提供装置。
【請求項８】
上記メッセージ発信用ＲＦＩＤタグは、詳細メッセージメールを発信するために、複数枚のタグにより構成されていることを特徴とする請求項６記載の情報提供装置。
【請求項９】
スケジュール情報を有するスケジュール入力用の複数枚のＲＦＩＤタグを備え、
上記データ処理装置は、上記スケジュール入力用の複数枚のＲＦＩＤタグから上記スケジュール情報を読み取り、上記表示装置にスケジュールを表示することを特徴とする請求項１〜請求項８のいずれかに記載の情報提供装置。
【発明の詳細な説明】
【技術分野】
【０００１】
この発明は、工場などの従業員に業務上の各種情報の提供と発信を行う情報提供装置に関するものである。
【背景技術】
【０００２】
従来のＲＦＩＤ（Ｒａｄｉｏ  Ｆｒｅｑｕｅｎｃｙ  Ｉｄｅｎｔｉｆｉｃａｔｉｏｎ）タグを応用したものでは、そのタグを携帯した人を認識して、監視装置などに情報伝達するものである。
例えば、特許文献１には、サーバなどから、ＲＦＩＤタグを携帯した人が所持する携帯端末（携帯電話、ＰＤＡ（Ｐｅｒｓｏｎａｌ  Ｄｉｇｉｔａｌ  Ａｓｓｉｓｔａｎｔｓ）など）へ情報送信して情報提供するものがある。
また、工場などでの従業員への情報提供では、掲示板、書信、回覧、メール送受信、行動予定表への記入などとなっている。
【０００３】
【特許文献１】特開２００４−０８８３６１号公報（第６〜２０頁、図１）
【発明の開示】
【発明が解決しようとする課題】
【０００４】
特許文献１などの従来のＲＦＩＤタグを応用した情報提供では、情報を受けるものが携帯電話やＰＤＡであるため、情報が限定されるし、多くの情報を提供しようとすれば、大きな端末となって携帯には適用できないものとなる。
また、従来の工場などの従業員への情報の提供は、掲示板、朝礼などでの連絡、職場内での回覧、工場内私送便での書信などの連絡文書、行動予定表への記入、職場従業員用ＰＣの電子メール送受信などとなっているが、情報の形や連絡ルートもバラバラで、確実でスピーディな連絡が出来ていない。
また、職場各従業員用ＰＣでの電子メールでの連絡／確認では、各従業員に専用のＰＣを用意し、それぞれ机も用意し、イントラネットに接続が必要となる。ＰＣは、２、３年周期で新機種へ更新が必要となるなど、大きな経費がかかる要因となっている。
【０００５】
この発明は、上記のような課題を解決するためになされたものであり、工場などでの個別の従業員への情報提供を集約して行い、情報提供の効率化を図るようにした情報提供装置を得ることを目的にしている。
【課題を解決するための手段】
【０００６】
この発明に係わる情報提供装置においては、従業員ＩＤを含む従業員情報が記録されたＲＦＩＤタグ、このＲＦＩＤタグに記録された従業員情報を読取るＲＦＩＤタグ入力装置、このＲＦＩＤタグ入力装置により読取られた従業員情報を処理し、従業員ＩＤに対応した情報ウィンドウ及び音声情報を作成するデータ処理装置、このデータ処理装置によって作成された情報ウィンドウを表示する表示装置、及びデータ処理装置によって作成された音声情報を出力する音声出力装置を備え、
ＲＦＩＤタグ入力装置及び表示装置及び音声出力装置をまとめて設置したものである。
【発明の効果】
【０００７】
この発明は、以上説明したように、従業員ＩＤを含む従業員情報が記録されたＲＦＩＤタグ、このＲＦＩＤタグに記録された従業員情報を読取るＲＦＩＤタグ入力装置、このＲＦＩＤタグ入力装置により読取られた従業員情報を処理し、従業員ＩＤに対応した情報ウィンドウ及び音声情報を作成するデータ処理装置、このデータ処理装置によって作成された情報ウィンドウを表示する表示装置、及びデータ処理装置によって作成された音声情報を出力する音声出力装置を備え、
ＲＦＩＤタグ入力装置及び表示装置及び音声出力装置をまとめて設置したので、従業員はＲＦＩＤタグを付けて、ＲＦＩＤタグ入力装置及び表示装置及び音声出力装置の設置場所に行くだけで、個別の情報を容易に得ることができる。
【発明を実施するための最良の形態】
【０００８】
実施の形態１．
以下、この発明の実施の形態１を図に基づいて説明する。
図１は、この発明の実施の形態１による情報提供装置を示す構成図である。
図１において、情報提供装置は、データ処理装置１と、これに接続された管理サーバ２とにより構成され、データ処理装置１には、スピーカ装置７（音声出力装置）と表示装置６とＲＦＩＤタグ８の情報を読取るＲＦＩＤタグ入力装置５が接続されている。スピーカ装置７と表示装置６とＲＦＩＤタグ入力装置５は、情報ターミナルに設置される。また、管理サーバ２には、入力端末３とＲＦＩＤタグ書込装置４が接続され、ＲＦＩＤタグ書込装置４は、ＲＦＩＤタグ８に従業員のＩＤ、個人情報、組織情報などを記録する。
データ処理装置１は、次の１ａ〜１ｈを有している。
それぞれの従業員が、個別のＲＦＩＤタグ８ａ、８ｂなどを携帯して情報ターミナルへ行くことにより、ＲＦＩＤタグ入力装置５で、ＲＦＩＤタグ８の記録内容が読み取られ、データ処理装置１内のＲＦＩＤタグ入力部１ａに情報が伝達される。従業員ＩＤ登録部１ｂで、前回登録情報と比較され、新たな登録、前回からの継続、前回登録ＩＤから無くなったＩＤなどが識別される。
従業員情報入力部１ｃは、登録ＩＤの情報として、従業員のスケジュール、メッセージメール情報を、管理サーバ２から取得する。出力情報作成部１ｄは、音声出力情報、情報ウィンドウ出力情報を作成する。情報ウィンドウ作成部１ｅは、表示ウィンドウを作成する。情報ウィンドウ出力部１ｆは、表示装置６に表示出力する。
音声情報作成部１ｇは、音声情報を作成し、音声出力部１ｈで、スピーカ装置７に音声出力を行う。
以上の動作を、それぞれの従業員のＲＦＩＤタグ８ａ、８ｂに対応して実施し、それぞれの従業員に個別に音声と画面表示により、情報提供を行う。
【０００９】
管理サーバ２は、２ａ〜２ｅにより構成される。
管理サーバ２には、入力端末３により、個人、組織情報、メッセージメール、スケジュール、メッセージメール紐付け情報が入力される。管理サーバ２内の個人情報、組織情報作成／管理部２ａで、従業員情報が作成、管理される。スケジュール作成／管理部２ｂでは、スケジュールが作成／管理される。メッセージメール作成／送受信／管理部２ｃでは、メッセージメールを作成、送受信、管理処理が行われる。メッセージメール紐付け情報作成／管理部２ｄでは、メッセージメールとその関連情報との紐付け情報が作成、管理される。メッセージメール、スケジュール連携部２ｅでは、メッセージメール及びスケジュールの両方の情報から会議開催などの情報で相手情報を自動作成し、登録を行う。
図２は、この発明の実施の形態１による情報提供装置の動作を示すフロー図である。
【００１０】
次に動作について、図２のフロー図に基づいて説明する。
図２において、ＳＴＡＲＴ後、ステップＳ１で、ＲＦＩＤタグ入力装置５よりタグ情報が読み込まれ、ステップＳ２のタグ入力ありかどうかの判定で、入力がある場合は、ステップＳ４へ移行する。タグ入力が無い場合は、ステップＳ３で、表示装置６に基本画面を表示して、同時に情報ウィンドウを消去して、次の周期処理ステップＳ１３へ移行する。
ステップＳ４で、前回の登録ＩＤと今回入力されたタグＩＤを比較し、ＩＤが無くなったもの、つまり従業員が居なくなったものについては、前回登録ＩＤを抹消し、対象の情報ウィンドウを消去する。
ステップＳ５で、前回登録ＩＤと今回入力タグＩＤを比較し、同一であれば、表示処理のステップＳ７へ移行し、ステップＳ６のＩＤ登録が可能かどうかを判定するＩＤ登録フル判定で、フルに登録されている場合は、処理をスキップして、ステップＳ１２へ移行する。登録可能であれば、ステップＳ７で、新規に入力されたＩＤを登録し、ステップＳ８で、ＩＤに対応した従業員情報を管理サーバ２から入力する（取得する）。
ステップＳ９で、従業員情報から出力情報として、音声、情報ウィンドウの出力情報を作成し、次いで、ステップＳ１０で、出力情報から音声情報を作成し、スピーカ装置７へ出力で音声出力を行う。次いで、ステップＳ１１で、出力情報から情報ウィンドウを作成し、表示装置６へ出力する。
ステップＳ１２で、全てのタグ入力ＩＤについて処理したかどうかを判定し、未だの場合は、ステップＳ５へ移行し、完了した場合は、ステップＳ１３で、周期処理にて一定時間経過したら、ステップＳ１に戻る。
【００１１】
このようにして、工場などの従業員への情報提供装置として従業員個々に設置するのではなく、共用として設置し、ＲＦＩＤタグのみを操作することにより、シンプルな操作を可能としている。
情報ターミナルへは表示装置、スピーカ、ＲＦＩＤタグ入力装置を設置し、従業員がＩＤタグを携帯しているだけで、情報ウィンドウが表示される。複数の従業員へ同時に情報提供される。
従業員個々に表示される情報ウィンドウは、メッセージメールとスケジュールをコンパクトに提供するものとし、メッセージメールは、表示期限により自動消去してメッセージの残存を軽減し、従業員の煩わしさをなくす。メッセージメールとスケジュールは、連携して会議開催情報などで片方の情報から、もう一方の情報を自動的に作成することにより、情報の一体化と情報提供を強化する。
スピーカ装置からは工場などのイベント連絡、緊急連絡、会議などのプレアラームなどが通報される。このメッセージメール、スケジュール、音声通報の情報は、互いに連携して情報管理、登録されるものである。
【００１２】
実施の形態１によれば、情報ターミナルで、工場などでの従業員への個別の情報提供を集約して行い、情報提供の効率化を図ることができる。
複数の従業員への情報提供を同時に、リアルタイムに、簡単に行うことができる。
【００１３】
実施の形態２．
以下、この発明の実施の形態２を図に基づいて説明する。
図３は、この発明の実施の形態２による情報提供装置を示す構成図である。
図３において、１、１ｂ〜１ｆ、８は図１におけるものと同一のものである。図３では、出力に大型表示装置９を用い、ＲＦＩＤタグ入力装置５を５ａ、５ｂの複数設けている。このため、データ処理装置１に、複数のＲＦＩＤタグ入力装置５ａ、５ｂに対応した複数装置ＲＦＩＤタグ入力部１ｉと、従業員の位置を判定する従業員位置判定部１ｊ（タグ位置判定部）と、情報ウィンドウ表示位置を作成する情報ウィンドウ表示位置作成部１ｋとを設けている。
実施の形態２のこの他の構成は、実施の形態１と同じである。
図４は、この発明の実施の形態２による情報提供装置の動作を示すフロー図である。
【００１４】
実施の形態１では、ＲＦＩＤタグ入力装置は、１台で表示装置も普通のものとして記述したが、実施の形態２では、図３に示すように、ＲＦＩＤタグ入力装置５ａ、５ｂを複数台設置し、従業員ＲＦＩＤタグ８ａ、８ｂ、８ｃなどを、個別に位置として捕らえ、大型表示装置９の従業員のいる位置へ合わせるように情報ウィンドウを表示するようにしたものである。
データ処理装置１内の複数装置ＲＦＩＤタグ入力部１ｉに、複数のＲＦＩＤタグ入力装置５ａ、５ｂからタグＩＤ情報が伝達され、従業員位置判定部１ｊで、どのＲＦＩＤ入力装置からタグＩＤ情報が入力されたかにより従業員位置を特定し、情報ウィンドウ表示位置作成部１ｋで、大型表示装置９のどこに情報ウィンドウを表示するかを作成し、情報ウィンドウ出力部１ｆで、大型表示装置９の従業員に近い表示位置へ表示出力する。
【００１５】
次に動作について、図４のフロー図に基づいて説明する。
図４において、ステップＳ２〜ステップＳ９、ステップＳ１０〜ステップＳ１３は図２における処理と同一の処理である。
図２のステップＳ１に代わるステップＳ１４で、複数ＲＦＩＤタグ入力装置５ａ、５ｂよりタグ情報が読み込まれ、ステップＳ２へ移行する。ステップＳ９からステップＳ１５へ移行し、ステップＳ１５で、複数ＲＦＩＤタグ入力装置５ａ、５ｂの位置とタグ入力情報から従業員の位置を判定し、ステップＳ１６で、従業員位置から情報ウィンドウの表示位置を作成し、ステップＳ１０からの表示処理へ移行する。
【００１６】
実施の形態２によれば、共用の大型表示装置から従業員個々が情報ウィンドウで情報を得るのに、大型表示装置の前の任意の位置で視認する場合に、その位置に合わせて情報ウィンドウを表示することにより、表示情報が見易くスムーズに確認できる。
【００１７】
実施の形態３．
以下、この発明の実施の形態３を図に基づいて説明する。
図５は、この発明の実施の形態３による情報提供装置を示す構成図である。
図５において、１、１ｄ、１ｇ、８は図１におけるものと、１ｊは図３におけるものとそれぞれ同一のものである。図５では、出力に複数の指向性スピーカ装置１０ａ、１０ｂ、１０ｃを用いている。このため、データ処理装置１に、従業員位置判定部１ｊによる従業員の位置情報に基づいて指向性スピーカ装置１０を選択する音声出力位置選択部１ｌと、音声出力位置選択部１ｌにより選択された指向性スピーカ装置１０により音声出力を行う指向性スピーカ音声出力部１ｍとを設けている。
その他の構成は、実施の形態２と同じである。
図６は、この発明の実施の形態３による情報提供装置の動作を示すフロー図である。
【００１８】
実施の形態２では、スピーカ装置は、実施の形態１と同じ１台で指向性の無いものであったが、実施の形態３では、図５のように、指向性のあるスピーカ装置を、指向性スピーカ装置１０ａ、１０ｂ、１０ｃのように複数台設置し、データ処理装置１内の音声出力位置選択部１ｌで指向性スピーカ位置と従業員位置から音声出力する指向性スピーカ装置を選択し、指向性スピーカ音声出力部１ｍで、選択された指向性スピーカ装置１０ａ、１０ｂ、１０ｃのいずれかへ音声出力する。
【００１９】
次に動作について、図６のフロー図に基づいて説明する。
図６において、ステップＳ２〜ステップＳ９、ステップＳ１１〜ステップＳ１６は図４におけるものと同一の処理である。
図６で、ステップＳ１６から移行し、ステップＳ１７で、指向性スピーカ装置１０の位置と従業員位置から音声出力位置を選択し、ステップＳ１８で、音声出力位置から複数の指向性スピーカ装置１０から１つを選択して音声を出力する。次いで、ステップＳ１１の表示処理へ移行する。
【００２０】
実施の形態３によれば、共用の大型表示装置と一体となったスピーカ装置から、従業員個別に音声通報される場合にスピーカ装置を指向性とし、複数台設置して、従業員の位置に合わせて、その前の指向性スピーカ装置から音声通報することにより、従業員それぞれに別々に同時に音声通報が可能となり、タイムリーにわかり易く通報できる。
【００２１】
実施の形態４．
以下、この発明の実施の形態４を図に基づいて説明する。
図７は、この発明の実施の形態４による情報提供装置を示す構成図である。
図７において、１、１ｅ、１ｆ、１ｉ〜１ｋ、５、８、９は図３におけるものと同一のものである。図７では、従業員（移動体）の移動に合わせてウィンドウを移動させるようにするために、データ処理装置１に、過去の従業員位置情報と今回の従業員位置情報から移動速度を作成する従業員移動速度作成部１ｎ（タグ移動速度判定部）と、この従業員移動速度作成部１ｎの出力に基づき、従業員の移動位置を予測する従業員移動位置予測部１ｏ（タグ移動位置予測部）を設けている。
図８は、この発明の実施の形態４による情報提供装置の動作を示すフロー図である。
【００２２】
実施の形態２では、情報ウィンドウの表示位置は半固定であるが、実施の形態４では、通路などでの情報提供を想定して、従業員の移動に合わせてウィンドウを移動させるようにした。
データ処理装置１内の従業員移動速度作成部１ｎで、従業員位置判定部１ｊの出力である過去の従業員位置情報と今回の従業員位置情報から従業員の移動速度を作成し、従業員移動位置予測部１ｏで、今後の従業員の移動位置を予測し、その情報に基づいて、情報ウィンドウ表示位置作成部１ｋにより情報ウィンドウの表示位置を作成し、大型表示装置９に表示出力する。
その他の構成は、実施の形態２と同じものである。
【００２３】
次に動作について、図８のフロー図に基づいて説明する。
図８において、ステップＳ２〜ステップＳ１５は図４におけるものと同一の処理である。
図８で、ステップＳ１５から移行し、ステップＳ１９で今回の従業員位置情報と過去の従業員位置情報から従業員の移動速度を作成し、ステップＳ２０で、移動速度と表示周期により今後の従業員位置を予測し、情報ウィンドウの表示位置を作成する。次いで、ステップＳ１０の出力処理へ移行する。
【００２４】
実施の形態４によれば、従業員が移動中に通路などで情報を得る場合に、従業員がいちいち留まることのないように情報ウィンドウを従業員に合わせて移動させ、情報をスムーズに確認でき、時間のロスも無いようにすることができる。
【００２５】
実施の形態５．
以下、この発明の実施の形態５を図に基づいて説明する。
図９は、この発明の実施の形態５による情報提供装置を示す構成図である。
図９において、１、１ａ、１ｃ、１ｆ、２、５、６、８は図１におけるものと同一のものである。図９では、メッセージ確認タグ１１ａ（メッセージ確認用ＲＦＩＤタグ）に基づき、メッセージ確認用のコマンドを作成するメッセージコマンド作成部１ｐと、確認の内容を作成して管理サーバ２に送信する確認情報作成、送信部１ｑとを、データ処理装置１に設けている。
図１０は、この発明の実施の形態５による情報提供装置の動作を示すフロー図である。
【００２６】
実施の形態１では、ＲＦＩＤタグは、従業員ＩＤタグのみであったが、実施の形態５では、従業員はＩＤタグとメッセージ確認タグを掲げ、情報ウィンドウに表示されているメッセージメールの確認を行うようにした。
従業員がメッセージ確認タグ１１ａを掲げると、データ処理装置１内に情報伝達され、メッセージコマンド作成部１ｐで、メッセージ確認用のコマンドが作成され、確認情報作成、送信部１ｑで、確認の内容が作成され、管理サーバ２に送信される。
管理サーバ２で確認処理された情報は、従業員情報入力部１ｃに入力され、表示装置６へ表示出力する。これで、表示装置６に表示されたメッセージメールの確認を行うことができる。
その他の構成は、実施の形態１と同じものである。
【００２７】
次に動作について、図１０のフロー図に基づいて説明する。
図１０において、ステップＳ１〜ステップＳ１３は図２におけるものと同一の処理である。
図１０で、ステップＳ７から移行し、ステップＳ２１で、メッセージ確認用のコマンドを作成し、ステップＳ２２で、確認情報を作成し、管理サーバ２へ送信する。次いで、ステップＳ８の従業員情報入力に移行する。
【００２８】
実施の形態５によれば、従業員個々に情報提供される情報ウィンドウのメッセージメールは表示行数が限られているので、メッセージ内容が確認できたものは、メッセージ確認タグにより消去することにより、残されたメッセージメールの確認が容易になる。確認動作もメッセージ確認タグを掲げることのみで簡単にすばやく実施できる。
【００２９】
実施の形態６．
以下、この発明の実施の形態６を図に基づいて説明する。
図１１は、この発明の実施の形態６による情報提供装置を示す構成図である。
図１１において、１、１ａ、１ｃ、１ｆ、２、５、６、８は図９におけるものと同一のものである。図１１では、定型メッセージ発信タグ１２ａ（メッセージ発信用ＲＦＩＤタグ）により定型メッセージを発信するようにした。このため、データ処理装置１に、メッセージ発信用のコマンドを作成するメッセージ発信コマンド作成部１ｒと、発信するメッセージ情報を作成し、管理サーバ２に送信する発信情報作成、送信部１ｓが設けられている。
図１２は、この発明の実施の形態６による情報提供装置の動作を示すフロー図である。
【００３０】
実施の形態５では、メッセージ確認タグ１１ａにより表示されたメッセージメールを確認するものであったが、実施の形態６では、定型メッセージ発信タグ１２ａにより定型メッセージを発信するようにした。
従業員が定型メッセージ発信タグ１２ａを掲げると、データ処理装置１に読み込まれ、メッセージ発信コマンド作成部１ｒで、メッセージ発信用のコマンドが作成され、次いで、発信情報作成、送信部１ｓで、メッセージ情報が作成され、管理サーバ２へ送信される。
管理サーバ２では、メッセージ発信処理が行われ、従業員情報入力部１ｃにメッセージ発信処理後の情報が入力され、表示装置６に表示される。
その他の構成は、実施の形態５と同じものである。
【００３１】
次に動作について、図１２のフロー図に基づいて説明する。
図１２において、ステップＳ１〜ステップＳ１３は図２におけるものと同一の処理である。
図１２で、ステップＳ７から移行し、ステップＳ２３で、メッセージ発信用のコマンドを作成し、ステップＳ２４で、メッセージ発信情報を作成して管理サーバ２へ送信する。次いで、ステップＳ８へ移行する。
【００３２】
実施の形態６によれば、定型のメッセージメールを簡単に発信することができる。この発信動作も定型メッセージ発信タグを掲げることのみでよく、簡単にメッセージ発信できる。定型のメッセージとしては“本日定例ミーティングを実施、所定の場所に集合”などのメッセージ発信を可能とする。
【００３３】
実施の形態７．
以下、この発明の実施の形態７を図に基づいて説明する。
図１３は、この発明の実施の形態７による情報提供装置を示す構成図である。
図１３において、１、１ａ、１ｆ、２、５、６、８は図１におけるものと同一のものである。図１３では、複数枚のＲＦＩＤタグ１３ａｂｃ（紐付け情報用の複数枚のＲＦＩＤタグ）を使用して、メッセージに紐付けされた書類などの関連情報を開いて表示するようにした。このため、データ処理装置１に、紐付け用のコマンドを作成する、複数タグ組合せでのメッセージ紐付け情報表示コマンド作成部１ｔと、管理サーバ２から紐付け情報を入力（取得）する紐付け情報入力部１ｕと、紐付け情報ウィンドウを作成する紐付け情報ウィンドウ作成部１ｖを設けている。
図１４は、この発明の実施の形態７による情報提供装置の動作を示すフロー図である。
【００３４】
実施の形態５では、メッセージ確認タグとしてのＲＦＩＤタグは、１つであったが、実施の形態７では、複数枚のＲＦＩＤタグを使用して、メッセージに紐付けされた書類などの関連情報（紐付け情報）を開いて表示するようにしたものである。
すなわち、情報ウィンドウに表示されているメッセージメールに紐付けされている情報などをウィンドウ表示するために、ＲＦＩＤタグの組合せにより、紐付け開きタグとメッセージ番号タグで指定して紐付け情報を開き、ウィンドウ表示するようにした。
複数枚のＲＦＩＤタグ１３ａｂｃにて、表示装置６の情報ウィンドウに表示されているメッセージ番号を指定すると、データ処理装置１に読み込まれ、複数タグ組合せでのメッセージ紐付け情報表示コマンド作成部１ｔで、紐付け情報を開くためのコマンドが作成され、紐付け情報入力部１ｕで、これに基づき、管理サーバ２からの紐付け情報の入力が行われ、紐付け情報ウィンドウ作成部１ｖで、表示ウィンドウを作成して、紐付け情報を表示装置６に出力する。
その他の構成は、実施の形態１と同じものである。
【００３５】
次に動作について、図１４のフロー図に基づいて説明する。
図１４において、ステップＳ１〜ステップＳ７、ステップＳ１１〜ステップＳ１３は図２におけるものと同一の処理である。
図１４で、ステップＳ７から移行し、ステップＳ２５で複数タグ組合せでのメッセージ紐付け情報の開きコマンドを作成し、ステップＳ２６で、このコマンドに応答したメッセージ紐付け情報を管理サーバ２より入力し、ステップＳ２７で、入力された紐付け情報から情報ウィンドウを作成し、ステップＳ１１に移行する。
【００３６】
実施の形態７によれば、情報ウィンドウに表示されているメッセージメールに紐付けされている情報などをウィンドウ表示するもので、タグ組合せにより紐付け開きタグとメッセージ番号タグで指定して紐付け情報を開き、ウィンドウ表示することができる。
【００３７】
実施の形態８．
以下、この発明の実施の形態８を図に基づいて説明する。
図１５は、この発明の実施の形態８による情報提供装置を示す構成図である。
図１５において、１、１ａ、１ｃ、１ｆ、２、５、６、８は図１１におけるものと同一のものである。図１５では、複数枚のＲＦＩＤタグ１４ａｂｃで、より詳細なメッセージメールを発信するようにした。このため、データ処理装置１に、詳細メッセージ発信用のコマンドを作成する、複数タグ組合せでのメッセージ発信コマンド作成部１ｗと、詳細メッセージを作成し、管理サーバ２に送信する詳細メッセージ作成、送信部１ｘとを設けている。
図１６は、この発明の実施の形態８による情報提供装置の動作を示すフロー図である。
【００３８】
実施の形態６では、１つのＲＦＩＤタグで定型のメッセージメールを発信したが、実施の形態８では、複数枚のＲＦＩＤタグ１４ａｂｃで、より詳細なメッセージメールを発信するようにした。
従業員は、ＲＦＩＤタグ１４ａｂｃで、メッセージの詳細情報を掲げると、データ処理装置１に読み込まれ、複数タグ組合せでのメッセージ発信コマンド作成部１ｗで、詳細メッセージ発信用のコマンドを作成し、詳細メッセージ作成、送信部１ｘで、詳細メッセージを作成して、管理サーバ２に送信する。管理サーバ２のメッセージ送信処理後に、管理サーバ２からデータ処理装置１の従業員情報入力部１ｃに入力され、情報ウィンドウに詳細メッセージメールの表示が行われる。
その他の構成は、実施の形態１と同じものである。
メッセージメール発信では、メッセージ項目毎に予めデフォルト設定しておいて、ＲＦＩＤタグ入力では、変更部分のみＲＦＩＤタグで指定することにより、少ないＲＦＩＤタグでメッセージメールの発信が可能となる。週間安全パトロールなどで、曜日、時間、参加者を決めておき、安全パトロールタグと曜日タグで曜日の変更をするなどが可能となる。
【００３９】
次に動作について、図１６のフロー図に基づいて説明する。
図１６において、ステップＳ１〜ステップＳ１３は図２におけるものと同一の処理である。
図１６で、ステップＳ７から移行し、ステップＳ２８で、複数タグ組合せでの詳細メッセージの発信コマンドを作成し、ステップＳ２９で、詳細メッセージ作成して、管理サーバ２へ送信する。次いで、ステップＳ８へ移行する。
【００４０】
実施の形態８によれば、メッセージメール発信をタグ組合せで行うことにより、詳細なメッセージを発信できる。
【００４１】
実施の形態９．
以下、この発明の実施の形態９を図に基づいて説明する。
図１７は、この発明の実施の形態９による情報提供装置を示す構成図である。
図１７において、１、１ａ、１ｃ、１ｆ、２、５、６、８は図１５におけるものと同一のものである。図１７では、複数枚のＲＦＩＤタグ１５ａｂｃ（スケジュール入力用の複数枚のＲＦＩＤタグ）により、スケジュールの入力を行うようにした。このため、データ処理装置１に、スケジュール入力用のコマンドを作成する、複数タグ組合せのスケジュール入力コマンド作成部１ｙと、スケジュール情報を作成し、管理サーバ２へ送信するスケジュール情報作成、送信部１ｚを設けている。
図１８は、この発明の実施の形態９による情報提供装置の動作を示すフロー図である。
【００４２】
実施の形態８では、複数タグ組合せで詳細メッセージ発信を行ったが、実施の形態９では、スケジュールの入力を行うようにした。
従業員は、複数のＲＦＩＤタグ１５ａｂｃで、スケジュールの情報を掲げ、データ処理装置１に読み込まれる。すると、複数タグ組合せのスケジュール入力コマンド作成部１ｙで、スケジュール入力用のコマンドを作成し、スケジュール情報作成、送信部１ｚで、スケジュール情報を作成し、管理サーバ２へ送信する。
管理サーバ２でスケジュールが登録された後、従業員情報入力部１ｃにその情報が入力され、情報ウィンドウにて、スケジュールが表示出力される。
その他の構成は、実施の形態１と同じものである。
なお、スケジュール入力では、スケジュール項目毎に予めデフォルト設定しておいて、複数のＲＦＩＤタグ１５ａｂｃによる入力では、変更部分のみをタグで指定することにより、少ないＲＦＩＤタグでスケジュール入力が可能となる。
課内会議などで曜日、時間、参加者、会議室を決めておき、課内会議タグと時間スライドタグで時間変更をすることなどが可能となる。
【００４３】
次に動作について、図１８のフロー図に基づいて説明する。
図１８において、ステップＳ１〜ステップＳ１３は図２におけるものと同一の処理である。
図１８で、ステップＳ７から移行し、ステップＳ３０で、複数タグの組合せで、スケジュール入力用のコマンドを作成し、ステップＳ３１で、スケジュール情報を作成し、管理サーバ２へ送信する。次いで、ステップＳ８へ移行する。
【００４４】
実施の形態９によれば、スケジュール入力をタグ組合せで簡単に行うことができるという効果がある。
【図面の簡単な説明】
【００４５】
【図１】この発明の実施の形態１による情報提供装置を示す構成図である。
【図２】この発明の実施の形態１による情報提供装置の動作を示すフロー図である。
【図３】この発明の実施の形態２による情報提供装置を示す構成図である。
【図４】この発明の実施の形態２による情報提供装置の動作を示すフロー図である。
【図５】この発明の実施の形態３による情報提供装置を示す構成図である。
【図６】この発明の実施の形態３による情報提供装置の動作を示すフロー図である。
【図７】この発明の実施の形態４による情報提供装置を示す構成図である。
【図８】この発明の実施の形態４による情報提供装置の動作を示すフロー図である。
【図９】この発明の実施の形態５による情報提供装置を示す構成図である。
【図１０】この発明の実施の形態５による情報提供装置の動作を示すフロー図である。
【図１１】この発明の実施の形態６による情報提供装置を示す構成図である。
【図１２】この発明の実施の形態６による情報提供装置の動作を示すフロー図である。
【図１３】この発明の実施の形態７による情報提供装置を示す構成図である。
【図１４】この発明の実施の形態７による情報提供装置の動作を示すフロー図である。
【図１５】この発明の実施の形態８による情報提供装置を示す構成図である。
【図１６】この発明の実施の形態８による情報提供装置の動作を示すフロー図である。
【図１７】この発明の実施の形態９による情報提供装置を示す構成図である。
【図１８】この発明の実施の形態９による情報提供装置の動作を示すフロー図である。
【符号の説明】
【００４６】
１  データ処理装置
１ａ  ＲＦＩＤタグ入力部
１ｂ  従業員ＩＤ登録部
１ｃ  従業員情報入力部
１ｄ  出力情報作成部
１ｅ  情報ウィンドウ作成部
１ｆ  情報ウィンドウ出力部
１ｇ  音声情報作成部
１ｈ  音声出力部
１ｉ  複数装置ＲＦＩＤタグ入力部
１ｊ  従業員位置判定部
１ｋ  情報ウィンドウ表示位置作成部
１ｌ  音声出力位置選択部
１ｍ  指向性スピーカ音声出力部
１ｎ  従業員移動速度作成部
１ｏ  従業員移動位置予測部
１ｐ  メッセージ確認コマンド作成部
１ｑ  確認情報作成、送信部
１ｒ  メッセージ発信コマンド作成部
１ｓ  メッセージ発信情報作成、送信部
１ｔ  複数タグ組合せでのメッセージ紐付け情報開きコマンド作成部
１ｕ  紐付け情報入力部
１ｖ  紐付け情報ウィンドウ作成部
１ｗ  複数タグ組合せでの詳細メッセージ発信コマンド作成部
１ｘ  詳細メッセージ情報作成、送信部
１ｙ  複数タグ組合せでのスケジュール入力コマンド作成部
１ｚ  スケジュール情報作成、送信部
２  管理サーバ
２ａ  個人情報、組織情報作成／管理部
２ｂ  スケジュール入力／管理部
２ｃ  メッセージメール入力／送受信／管理部
２ｄ  メッセージメール紐付け情報作成／管理部
２ｅ  メッセージメール、スケジュール連携部
３  入力端末
４  ＲＦＩＤタグ書込装置
５  ＲＦＩＤタグ入力装置
６  表示装置
７  スピーカ装置
８  ＲＦＩＤタグ
９  大型表示装置
１０  指向性スピーカ装置
【図１】
2008276296.tif 000003
【図２】
2008276296.tif 000004
【図３】
2008276296.tif 000005
【図４】
2008276296.tif 000006
【図５】
2008276296.tif 000007
【図６】
2008276296.tif 000008
【図７】
2008276296.tif 000009
【図８】
2008276296.tif 000010
【図９】
2008276296.tif 000011
【図１０】
2008276296.tif 000012
【図１１】
2008276296.tif 000013
【図１２】
2008276296.tif 000014
【図１３】
2008276296.tif 000015
【図１４】
2008276296.tif 000016
【図１５】
2008276296.tif 000017
【図１６】
2008276296.tif 000018
【図１７】
2008276296.tif 000019
【図１８】
2008276296.tif 000020